(57)【要約】【課題】電動送風機により加温され掃除機本体から排出される排気風によって、布団の広範囲の領域中の害虫を弱体化する。【解決手段】本発明の電気掃除機（１Ａ）において、電動送風機（４）と外部排出口（３）との間には、掃除機本体（１）の底面における外部排出口（３）による温風の排出領域を規定する外部排出空間部（９）が設けられている【選択図】図４
2016067729.tif 000002
【特許請求の範囲】
【請求項１】
電動送風機を内蔵し、掃除対象物に対向する底面に吸込口及び外部排出口が形成された掃除機本体と、
上記掃除機本体に取り外し可能に設けられた集塵装置と、を備え、上記電動送風機により加温された温風を外部排出口から排出する電気掃除機であって、
上記電動送風機と上記外部排出口との間に、上記掃除機本体の底面における外部排出口による温風の排出領域を規定する外部排出空間部が設けられていることを特徴とする電気掃除機。
【請求項２】
電動送風機を内蔵し、掃除対象物に対向する底面に吸込口及び外部排出口が形成された掃除機本体と、
上記掃除機本体に取り外し可能に設けられた集塵装置と、を備え、上記電動送風機により加温された温風を外部排出口から排出する電気掃除機であって、
上記掃除機本体の底部は、下方に隆起した隆起部を有し、
上記隆起部に上記吸込口が形成されており、上記外部排出口による温風の排出領域は、上記隆起部の全外周領域に規定されていることを特徴とする電気掃除機。
【請求項３】
電動送風機を内蔵し、掃除対象物に対向する底面に吸込口及び外部排出口が形成された掃除機本体と、
上記掃除機本体に取り外し可能に設けられた集塵装置と、を備え、上記電動送風機により加温された温風を外部排出口から排出する電気掃除機であって、
上記外部排出口による温風の排出領域は、上記掃除機本体の底面の中央領域に規定されており、その外周領域に吸込口が形成されていることを特徴とする電気掃除機。
【請求項４】
電動送風機を内蔵し、掃除対象物に対向する底面に吸込口及び外部排出口が形成された掃除機本体と、
上記掃除機本体に取り外し可能に設けられた集塵装置と、を備え、上記電動送風機により加温された温風を外部排出口から排出する電気掃除機であって、
上記掃除機本体の底面おける、上記吸込口と上記外部排出口との間に、掃除対象物中に存在する害虫駆除を補助する補助部が設けられていることを特徴とする電気掃除機。
【請求項５】
上記補助部は、上記掃除対象物を叩き出して害虫を掃除対象物から遊離させる叩き機構を備えていることを特徴とする請求項４に記載の電気掃除機。
【発明の詳細な説明】
【技術分野】
【０００１】
本発明は、電気掃除機、より具体的にはハンディ型の電気掃除機に関する。
【背景技術】
【０００２】
従来、布団、絨毯、ソファー等に付いているダニ等の害虫を駆除するため、電気掃除機から被掃除面に対し熱風を吹き付ける技術が知られている。このような技術は、例えば、特許文献１〜４に開示されている。
【０００３】
特許文献１には、電気掃除機のヘッド部材の吸い込み開口部の周辺に電熱器及び送風ファンを取り付け、電熱器によって熱せられた空気を送風ファンで吹き出し口から布団や絨毯に送り込み、ノミやダニ等の害虫や微生物を熱風で殺し、その死骸などをヘッドの吸い込み開口部より吸引する技術が開示されている。
【０００４】
特許文献２には、電気掃除機ではないが、害虫等駆除装置が開示されている。この害虫等駆除装置は、床面等の一部を覆うことの可能なカバーと、このカバー内の空気を吸引口から吸引すると共に吹出口から前記カバー内へ吹き出すための送風機と、吸引口から吹出口に至る空気を清浄する集塵具と、吹出口から吹き出される空気を加熱するためのヒーターとを備えている。
【０００５】
特許文献３には、電気掃除機の排気口に嵌入された排気ホースから、電動送風機の高温排気を、密閉された通気性がない布団乾燥袋に排出し、害虫を死滅させる技術が開示されている。
【０００６】
特許文献４には、ハンディ型電気掃除機が開示されている。このハンディ型電気掃除機は、被掃除面に直接対向する吸込口が掃除機本体の下面部に設けられている。掃除機本体内には、集塵フィルターが内蔵された集塵室、集塵室にその吸気側が連通するように電動送風機が設けられている。そして、掃除機本体には、電動送風機の排気側と吸込口とを連通させる還流風路が設けられている。また、掃除機本体の下面には、電気掃除機の排気側と還流風路とを連通するスリット状の排気口が設けられている。また、還流風路には、排気口と対向する部分には切欠部が形成されており、該切欠部を選択的に開閉する切換開閉板が設けられている。特許文献４のハンディ型電気掃除機では、電動送風機の駆動により塵埃が空気とともに吸込口から吸い込まれ、集塵室の集塵フィルターにて捕捉される。集塵フィルターを通過した空気は電動送風機に吸い込まれる。電動送風機からの排気風は排気口を通過する。
【０００７】
切換開閉板によって切欠部が閉塞されているとき、電動送風機からの排気風は、外部に排出されず、還流風路を介して吸込口へ還流し、被掃除面へ吹き付けられる。そして、排気風の一部は、集塵室、電動送風機へ再び吸い込まれ、その結果、掃除機本体において、吸込口、集塵室、電動送風機、及び還流風路を繰り返し巡る還流気流が生じる。そして、発熱する電動送風機を空気が繰り返し通過することによって、循環気流の温度が上昇する。このように加熱された排気風が還流風路から吸込口を介して被掃除面に吹き付けられることによって、被掃除面にいる害虫が駆除されつつ吸い込まれて集塵室内に捕捉される。
【０００８】
一方、切換開閉板によって切欠部が開放されているとき、還流風路における排気口の前方位置が閉塞される。その結果、電動送風機からの排気風は、排気口から切欠部を通過して掃除機本体外に直接排出される。
【先行技術文献】
【特許文献】
【０００９】
【特許文献１】特開２００５−３１２４７０号公報（２００５年１１月１０日公開）
【特許文献２】特開２０００−１１６５７６号公報（２０００年  ４月２５日公開）
【特許文献３】特開平５−    ３８４０号公報（１９９３年  １月１４日公開）
【特許文献４】特開平３−１６２８１２号公報（１９９１年  ７月１２日公開）
【発明の概要】
【発明が解決しようとする課題】
【００１０】
しかしながら、上述のような従来技術は、以下の問題がある。
【００１１】
まず、特許文献１、２の技術では、害虫を駆除する熱風を生じさせるために、専用の電熱器が設けられているため、装置が複雑化するという問題がある。
【００１２】
特許文献３の技術は、発熱する電動送風機により熱せられた高温排気を、布団が入った布団乾燥袋へ排出する技術である。それゆえ、布団の乾燥及び掃除のためだけに、電気掃除機に排気ホース及び布団乾燥袋を装着する必要がある。このため、布団の乾燥及び掃除の間、電気掃除機による床面の掃除等ができなくなり、掃除機の利便性が制限される。
【００１３】
特許文献４のハンディ型電気掃除機では、電動送風機からの排気風が掃除機本体外へ排出される切欠部の寸法は、掃除機本体下面における排気口の形成領域と略同程度である。それゆえ、被掃除面に対する切欠部を介した排気風の吹き付け領域が極めて狭くなる。このような構成では、ハンディ型電気掃除機を布団に当てて掃除した場合、切欠部を介して外部に排出した排気風により布団の広範囲の領域中の害虫を弱体化することが困難であるとともに、布団にふんわり感を与えることは困難である。
【００１４】
また、特許文献４のハンディ型電気掃除機では、叩き機構による害虫の被掃除面からの遊離動作の後に、熱風による害虫の駆除及び吸気動作が同時に行われている。叩き機構による叩き動作時には、被掃除面中の害虫は弱体化していないので、効率的に害虫が遊離しないおそれがある。その結果、害虫駆除効率が低くなるという問題がある。
【００１５】
また、特許文献４のハンディ型電気掃除機では、切欠部は、ハンディ型電気掃除機底部の端に形成されている。それゆえ、このように形成された切欠部から排出される排気風を用いて布団中の害虫を弱体化する場合、排気風がハンディ型電気掃除機の掃除領域外へ逃げ、害虫駆除効率が低くなるという問題がある。
【００１６】
本発明は、上記従来の問題点に鑑みなされたものであって、第１の課題は、電動送風機により加温され掃除機本体から排出される排気風によって、布団の広範囲の領域中の害虫を弱体化できるとともに布団等の掃除対象物に対してふんわり感を与えることが可能な電気掃除機を提供することにある。
【００１７】
また、第２の課題は、電気掃除機から排出される温風が掃除領域外へ逃げるのを防止し、害虫駆除効率が高い電気掃除機を提供することにある。
【００１８】
また、第３の課題は、害虫駆除効率が高い電気掃除機を提供することにある。
【課題を解決するための手段】
【００１９】
上記の第１の課題を解決するために、本発明の一態様に係る電気掃除機は、電動送風機を内蔵し、掃除対象物に対向する底面に吸込口及び外部排出口が形成された掃除機本体と、上記掃除機本体に取り外し可能に設けられた集塵装置と、を備え、上記電動送風機により加温された温風を外部排出口から排出する電気掃除機であって、上記電動送風機と上記外部排出口との間に、上記掃除機本体の底面における外部排出口による温風の排出領域を規定する外部排出空間部が設けられていることを特徴している。
【００２０】
また、上記の第１の課題を解決するために、本発明の他の態様に係る電気掃除機は、電動送風機を内蔵し、掃除対象物に対向する底面に吸込口及び外部排出口が形成された掃除機本体と、上記掃除機本体に取り外し可能に設けられた集塵装置と、を備え、上記電動送風機により加温された温風を外部排出口から排出する電気掃除機であって、上記掃除機本体の底部は、下方に隆起した隆起部を有し、上記隆起部に上記吸込口が形成されており、上記外部排出口による温風の排出領域は、上記隆起部の全外周領域に規定されていることを特徴としている。
【００２１】
また、上記の第２の課題を解決するために、本発明のさらに他の態様に係る電気掃除機は、電動送風機を内蔵し、掃除対象物に対向する底面に吸込口及び外部排出口が形成された掃除機本体と、上記掃除機本体に取り外し可能に設けられた集塵装置と、を備え、上記電動送風機により加温された温風を外部排出口から排出する電気掃除機であって、上記外部排出口による温風の排出領域は、上記掃除機本体の底面の中央領域に規定されており、その外周領域に吸込口が形成されていることを特徴としている。
【００２２】
また、上記の第３の課題を解決するために、本発明の他の態様に係る電気掃除機は、電動送風機を内蔵し、掃除対象物に対向する底面に吸込口及び外部排出口が形成された掃除機本体と、上記掃除機本体に取り外し可能に設けられた集塵装置と、を備え、上記電動送風機により加温された温風を外部排出口から排出する電気掃除機であって、上記掃除機本体の底面おける、上記吸込口と上記外部排出口との間に、掃除対象物中に存在する害虫駆除を補助する補助部が設けられていることを特徴としている。
【発明の効果】
【００２３】
本発明の一態様及び他の態様によれば、電動送風機により加温され掃除機本体から排出される排気風によって、布団の広範囲の領域中の害虫を弱体化できるとともに布団等の掃除対象物に対してふんわり感を与えることができるという効果を奏する。
【００２４】
本発明のさらに他の態様によれば、電気掃除機から排出される温風が掃除領域外へ逃げるのを防止し、害虫駆除効率が高い電気掃除機を提供することができるという効果を奏する。
【００２５】
本発明のさらに他の態様によれば、害虫駆除効率が高い電気掃除機を提供することができるという効果を奏する。
【図面の簡単な説明】
【００２６】
【図１】本発明の実施形態１に係る電気掃除機の外観を示す外観図である。
【図２】本発明の実施形態１に係る電気掃除機の構成を示す側面図である。
【図３】本発明の実施形態１に係る電気掃除機を下面側から見た下面図である。
【図４】本発明の実施形態１に係る電気掃除機の構成を示す断面図である。
【図５】本発明の実施形態１に係る電気掃除機に備えられた集塵装置の構成を示す分解斜視図である。
【図６】叩き機構の構成を説明するための、本発明の実施形態１に係る電気掃除機の断面図である。
【図７】本発明の実施形態１に係る電気掃除機の叩き機構の構成を示す斜視図である。
【図８】外部排出空間部及び吸込空間部を説明するための、本発明の実施形態１に係る電気掃除機の断面図である。
【図９】本発明の実施形態２に係る電気掃除機を下面側から見た下面図である。
【図１０】本発明の実施形態３に係る電気掃除機を下面側から見た下面図である。
【発明を実施するための形態】
【００２７】
〔実施形態１〕
以下、本発明の実施の形態について、詳細に説明する。図１は、本実施形態に係る電気掃除機１Ａの外観を示す外観図である。図２は、図１に示した電気掃除機１Ａの構成を示す側面図である。図３は、図１に示した電気掃除機１Ａを下面側から見た下面図である。図４は、図１に示した電気掃除機１Ａの構成を示す断面図である。
【００２８】
図１〜図４に示されるように、本実施形態に係る電気掃除機１Ａは、掃除機本体１０と集塵装置２０と、を備えている。集塵装置２０は、掃除機本体の後方に着脱可能に設けられている。掃除機本体１０の前端部には、該前端部から後方へ向かってＵ字状に屈曲して設けられた操作ハンドル３０が一体的に設けられている。電気掃除機１Ａを用いて布団等の対象物（掃除対象物）を掃除するに際し、ユーザは、操作ハンドル３０を介して電気掃除機１Ａを図４に示す矢印Ａの方向に移動する。
【００２９】
掃除機本体１０は、外観が略円盤状に形成されている。掃除機本体１０底面の中央部分には、錐状に下方に隆起した隆起部５８が設けられている。ここで、隆起部５８が構成する円錐形状の軸方向を上下方向とし、該上下方向に対し垂直な面を水平面とする。
【００３０】
隆起部５８は、後述する叩き機構５０の一部であり、掃除機本体１０に対し上下動可能に取り付けられている。この隆起部５８には、下方に突出する凸部５８ａが複数形成されている。掃除機本体１０下面の隆起部５８の周りには、スリット状の、吸込口２及び外部排出口３が形成されている。吸込口２は、布団等の対象物についた塵埃を空気とともに吸い込むための開口であり、外部排出口３は、吸込口２から吸い込まれた空気を外部へ排出するための開口である。また、掃除機本体１０底面における外周縁には、下方に突出したリブ７が設けられている。
【００３１】
掃除機本体１０は、その内部に、電動送風機４と、隆起部５８を上下振動させるための叩き機構５０と、フィルターユニット６と、を備えている。電動送風機４は、吸気を行うための送風ファン及び該送風ファンを回転駆動する送風駆動モータを有している。また、叩き機構５０は、隆起部５８を上下振動させることによって、布団等の対象物を叩打し、該対象物から、塵埃またはダニなどの害虫を遊離させる。フィルターユニット６は、電動送風機４と外部排出口３との間に着脱可能に設けられている。掃除機本体１０内部には、フィルターユニット６を通過する空気の排出口８が形成されている。
【００３２】
また、掃除機本体１０には、電動送風機４及び叩き機構５０を制御する制御装置（不図示）などが内蔵されている。また、上記制御装置は、ＣＰＵやＲＡＭ，ＲＯＭなどの制御機器を有しており、電気掃除機１Ａを統括的に制御する。具体的には、上記制御装置では，ＣＰＵがＲＯＭに記憶された制御プログラムに従って各種の処理を実行する。
【００３３】
操作ハンドル３０は、ユーザが握る握部３１、及び握部３１と掃除機本体１０の前端部とを連結する屈曲部３２から構成されている。上から見て、握部３１は、重心Ｃの近傍に配置されている。換言すれば、図２に示されるように、重心Ｃから上下方向に仮想線を引いたとき、この仮想線が握部３１を通過するような配置となっている。握部３１が重心Ｃから離れた位置にあった場合、ユーザが掃除機本体１０を持ち上げて移動するとき、握部３１と重心Ｃとの回転モーメントが働き、ユーザの手に負荷が掛かる。それゆえ、ユーザは、掃除機本体１０に対し重量感を余分に感じて持ち上げにくくなる。このように握部３１が配置されていることによって、ユーザが操作ハンドル３０を握ったとき、掃除機本体１０の安定性が増す。また、操作ハンドル３０には、ユーザが電気掃除機１Ａの稼働の有無や運転モードの選択操作などを行うための操作スイッチ（不図示）が設けられている。また、その操作ハンドル３０の近傍には、電気掃除機の現在の状態を表示するＬＥＤなどの表示部（不図示）も設けられている。
【００３４】
また、掃除機本体１０には、電動送風機４及び叩き機構５０への給電用のプラグ付き電源コード１２が取り付けられている。なお、図１〜図４に示された構成は、プラグ付き電源コード１２によって掃除機本体１０へ給電される構成である。しかし、本実施形態における掃除機本体１０は、プラグ付き電源コード１２により給電される構成に限定されず、例えば、予め充電されたバッテリにより給電される構成であってもよい。更に、バッテリが着脱可能であってもよい。
【００３５】
本実施形態に係る電気掃除機１Ａでは、掃除機本体１０に内蔵された電動送風機４が作動されることによって、吸込口２から吸気が行われる。そして、吸込口２から吸引された塵埃を含む空気は、集塵装置２０に流入する。集塵装置２０では、吸い込まれた空気から塵埃が遠心分離される。集塵装置２０にて塵埃が分離された後の空気は、掃除機本体１０に設けられた外部排出口３から外部へ排気される。
【００３６】
（集塵装置）
以下、図４及び図５を参照して、集塵装置２０の構成について詳細に説明する。図５は、集塵装置２０の構成を示す分解斜視図である。
【００３７】
集塵装置２０は、集塵カップ２１と、集塵カップ２１を閉塞する上蓋ユニット２４と、上蓋ユニット２４を覆うカバー２６と、を備えている。また、掃除機本体１０には、集塵装置２０を取り付けロックするためのロック機構２７が設けられている。
【００３８】
図５に示されるように、集塵カップ２１には、塵埃を含む空気を導入するための流入口２１ｃが形成されている。集塵カップ２１は、上部が開口されており、内部に、上蓋ユニット２４を支持するためのドーナツ状の支持板部２１ｂが設けられている。この支持板部２１ｂは、集塵カップ２１の中心軸に向かって下方に傾斜した傾斜面から構成されている。また、集塵カップ２１と上蓋ユニット２４とは、支持板部２１ｂの開口部２１ａを介して、連通している。
【００３９】
集塵カップ２１内には、内筒部２２及びダスト仕切部２３が設けられている。内筒部２２は、支持板部２１ｂにおける上蓋ユニット２４と反対側に設けられており、開口部２１ａを介して、上蓋ユニット２４とが連通している。また、ダスト仕切部２３は、内筒部２２における上蓋ユニット２４と反対側に連結され、集塵カップ２１の底部に当接して設けられている。
【００４０】
内筒部２２は、後述する遠心分離部によるサイクロン分離後の空気を上蓋ユニット２４へと通気するように構成されている。内筒部２２は、支持板部２１ｂの開口部２１ａに連結する上側端縁２２ａと、遠心分離後の空気を通すための複数のスリット２２ｂを有する胴部２２ｃと、ダスト仕切部２３と連結する下側端縁２２ｄと、を有している。なお、胴部２２ｃの外周にはメッシュ状の吸気側フィルターが巻き付けられている。
【００４１】
ダスト仕切部２３は、中心孔を有する円板形のフランジ部２３ａと、大径筒部２３ｂと、小径筒部２３ｃと、を有する。大径筒部２３ｂは、フランジ部２３ａの外周端から上方向及び下方向の両方向に突出して設けられている。また、小径筒部２３ｃは、フランジ部２３ａの内周部から垂下して設けられている。また、小径筒部２３ｃの下端部は、閉塞状態であり筒部が塞がれている。
【００４２】
上蓋ユニット２４内には、つづら折り状（プリーツ）のフィルター等を有するフィルターユニット２５が収容されている。また、上蓋ユニット２４には、集塵カップ２１の外周方向に回転可能なブレード（刃状のゴム部材）２４ａと、該ブレード２４ａを回転するためのつまみ２４ｂと、つづら折り状（プリーツ）のフィルターを振動させる振動部２４ｃとが設けられている。ブレード２４ａは、支持板部２１ｂに堆積した塵埃を集塵カップ２１内へ掃き落とすためのものである。集塵装置２０においては、つまみ２４ｂによりブレード２４ａを回転させることにより、支持板部２１ｂに堆積した塵埃が集塵カップ２１内へ落ちるようになっている。そして、つまみ２４ｂを回転させることにより、振動部２４ｃが回転する。この振動部２４ｃの回転により、振動を発生させる振動子（不図示）が、つづら折り状（プリーツ）のフィルターの上部を弾くことによって、フィルターに振動を発生させて、フィルターに付着している塵埃を落とすようになっている。
【００４３】
（叩き機構５０）
電気掃除機１Ａにおいて、叩き機構５０は、布団等の対象物中の害虫駆除を補助する補助部として機能する。以下、図６及び図７を参照して、叩き機構５０の構成について詳細に説明する。図６は、叩き機構５０の構成を説明するための、電気掃除機１Ａの断面図である。また、図７は、叩き機構５０の構成を示す斜視図である。
【００４４】
図６及び図７に示されるように、叩き機構５０は、ギアボックス５１と、駆動源である振動駆動モータ５２と、駆動ギア５３と、回転ギア５４と、カム５５と、フック部５６と、隆起部５８と、を備えている。隆起部５８の中央部分には、フック部５６の端部と係合する環状係合部５７が設けられている。ギアボックス５１内には、振動駆動モータ５２、駆動ギア５３、回転ギア５４、及びカム５５が収容されている。駆動ギア５３は、振動駆動モータ５２の回転軸に直結して設けられている。また、回転ギア５４は、駆動ギア５３に噛み合うように配置されている。回転ギア５４には長円板状のカム５５が設けられている。このカム５５は、その中心軸が回転ギア５４の回転軸と同軸になるように設けられている。フック部５６における環状係合部５７と反対側の端部は、回転するカム５５に係合している。また、隆起部５８は、弾性部材（不図示）により掃除機本体１０の下方へ働くように、ビス５９によって固定されている。この弾性部材（不図示）の弾性力の作用により隆起部５８は、掃除機本体１０の下方に位置する。すなわち、隆起部５８は、弾性部材（不図示）によって下方に付勢されている。
【００４５】
（外部排出空間部９及び吸込空間部１１について）
図４、及び図８を参照して、外部排出空間部９及び吸込空間部１１について説明する。図８は、外部排出空間部９及び吸込空間部１１を説明するための、電気掃除機１Ａの断面図である。
【００４６】
図４に示されるように、吸込口２と集塵装置２０との間には、吸込空間部１１が設けられている。また、排出口８と外部排出口３との間には、外部排出空間部９が設けられている。
【００４７】
図８に示されるように、掃除機本体１０の底面において、外部排出空間部９を形成する隔壁の外には、外部排出口３が形成されていない。つまり、外部排出空間部９は、掃除機本体１０の底面における外部排出口３による外部排出領域を規定する。それゆえ、排出口８から排出された空気は、外部排出空間部９を規定する隔壁より外には流出せず、外部排出空間部９によって規定された外部排出口３の形成領域から外部へ排出されることになる。なお、外部排出空間部９における外部側の外部排出口３の形成領域（外部排出領域）は、外部排出空間部９における電動送風機４側の排出口８よりも大きくなるように規定されている。
【００４８】
また、後述するように、電気掃除機１Ａでは、発熱する電動送風機４により加温された温風が外部排出口３から排出されるようになっている。そして、布団等の対象物と掃除機本体１０の底面との間に流れる温風が外部排出口３から吸込口２へ流れるようになっている。
【００４９】
また、掃除機本体１０の底面において、吸込空間部１１を形成する隔壁の外には、吸込口２が形成されていない。つまり、吸込空間部１１は、掃除機本体１０の底面における吸込口２による吸込領域を規定する。それゆえ、掃除機本体１０の底面において、吸込空間部１１によって規定された領域外から吸気されず、吸込空間部１１によって規定された領域内で吸気されるようになっている。
【００５０】
なお、掃除機本体１０の底面において、外部排出口３による外部排出領域を規定する外部排出空間部９と吸込口２による吸込領域を規定する吸込空間部１１とが設けられない場合も考えられる。この場合においても外部排出口３から吸込口２への温風の流れができる。しかし、外部排出空間部９及び吸込空間部１１が設けられていない構成では、外部排出口３からの温風の拡がり具合が定まらず温風の流れが定まらない状態が起きる。本実施形態に係る電気掃除機１Ａでは、外部排出口３からの温風の拡がり具合が定まらず温風の流れが定まらない状態が起きることを防ぐために、外部排出空間部９により外部排出領域を規定し、同時に吸込空間部１１によって吸込領域も規定するようにしている。
【００５１】
（電気掃除機１Ａの動作）
本実施形態に係る電気掃除機１Ａの動作について、以下に説明する。まず、ユーザは、電気掃除機１Ａを用いて布団等の対象物を掃除するに際し、操作ハンドル３０の握部３１を持って、掃除機本体１０を手で支持する。そして、掃除機本体１０の底面を対象物に接地し、吸込口２及び外部排出口３を対象物に近接対向させる。電気掃除機１Ａを操作すると、掃除機本体１０の制御装置は、電動送風機４及び叩き機構５０の振動駆動モータ５２を作動させる。
【００５２】
振動駆動モータ５２が駆動すると、駆動ギア５３、及び駆動ギア５３に噛合する回転ギア５４が回転する。これにより、回転ギア５４に取り付けられたカム５５が回転する。そして、カム５５は、回転運動しながら、一定の周期でフック部５６の端部に当接し、この当接によりフック部５６は上下方向に往復運動する。また、弾性部材（不図示）の弾性力の作用により隆起部５８は、常に掃除機本体１０の下方に移動しようとする。すなわち、カム５５は、回転ギア５４の回転運動を、フック部５６の上下方向の往復運動に変換する運動方向変換部材としての役割を有する。そして、このようにフック部５６が上下方向に往復運動することにより、該フック部５６に係合する隆起部５８が上下方向に振動する。その結果、叩き機構５０は、振動駆動モータ５２の駆動により隆起部５８が上下方向に振動し、布団等の対象物を叩打する。そして、該対象物から塵埃またはダニなどの害虫を叩き出して遊離させる。
【００５３】
また、電動送風機４を作動させると、吸込口２から吸気される。吸込口２から吸気された塵埃含有空気は、図４の矢印で示す分離経路Ｂを経由して、吸込空間部１１を介して集塵装置２０に流入し、上蓋ユニット２４を通過し、集塵装置２０から排出し、電動送風機４へ吸引される。
【００５４】
集塵装置２０では、集塵カップ２１内のダスト仕切部２３の上部にあるフランジ部２３ａを境に、上部が遠心分離部４０として作用する。すなわち、集塵装置２０において、遠心分離部４０は、集塵カップ２１の内側面及び内筒部２２の外周面等によって構成された旋回風路である。そして、流入口２１ｃは、遠心分離部４０が構成する旋回風路の接線方向に開口している。それゆえ、流入口２１ｃを介して流入した塵埃含有空気は、図４の分離経路Ｂのように、遠心分離部４０が構成する旋回風路を旋回することによって、該塵埃含有空気中の塵埃が遠心分離される。遠心分離された塵埃のうち、比較的大きい粗塵（第１の塵埃）は、遠心力の作用により、集塵カップ２１の内側面に沿って落下して、ダスト仕切部２３の下方に集積される。
【００５５】
粗塵が分離された空気は、内筒部２２を通過する（図４の分離経路Ｂ参照）。このとき、遠心分離部４０によって分離されなかった比較的小さい細塵（第２の塵埃）は、空気流とともに、内筒部２２のスリット２２ｂを介して上昇する。一方、粗塵は、胴部２２ｃに巻き付けられたメッシュ状のフィルターによって濾過される。内筒部２２を通過した空気は、上蓋ユニット２４に収容されたフィルターユニット２５を通過することによって細塵（第２の塵埃）が除去されて、集塵装置２０から排出される。なお、集塵装置２０は、旋回風路（サイクロン）で集塵する方式の集塵装置である。しかし、集塵装置２０は、サイクロン方式の集塵装置に限定されず、紙パック式や布袋式の集塵装置であってもよい。
【００５６】
集塵装置２０から排出された空気は、電動送風機４へ吸引され、排出口８から排出される（図４の分離経路Ｂ参照）。このとき、空気は、発熱している電動送風機４によって加温され、温風となって排出口８から排出される。排出口８から排出された温風は、外部排出空間部９を通過して、掃除機本体１０の底面に形成された外部排出口３から外部へ排出される。
【００５７】
ユーザは、布団等の対象物を掃除するに際し、掃除機本体１０の底面を布団等の対象物に接地し、吸込口２及び外部排出口３を対象物に近接対向させて、図４に示す矢印Ａの方向に掃除機本体１０を移動させる。
【００５８】
ここで、本実施形態に係る電気掃除機１Ａにおいては、掃除機本体１０の底面において、吸込口２と外部排出口３との間に叩き機構５０によって振動する隆起部５８が配置されている。より具体的には、掃除機本体１０が移動する方向（図４に示す矢印Ａの方向）から順に、吸込口２、隆起部５８、外部排出口３が順に配置されている。
【００５９】
それゆえ、ユーザが掃除するときには、まず、対象物に対して、掃除機本体１０の底面における外部排出空間部９によって規定された領域から、外部排出口３を介して温風が吹き付けられる。このように電動送風機４の排気を布団等の対象物に吹き付けることによって、対象物が加温し、対象物中に存在するダニ等の害虫が弱体化する。そして、このように弱体化した害虫は、叩き機構５０によって、対象物から遊離する。そして、遊離した害虫は、塵埃とともに、吸込口２から掃除機本体１０へ吸い込まれる。
【００６０】
例えば、特許文献４のハンディ型電気掃除機では、叩き機構による害虫の被掃除面からの遊離動作の後に、熱風による害虫の駆除及び吸気動作が同時に行われている。叩き機構による叩き動作時には、被掃除面中の害虫は弱体化していないので、効率的に害虫が遊離しないおそれがある。
【００６１】
一方、本実施形態に係る電気掃除機１Ａでは、外部排出口３から排出される温風によって対象物中の害虫を弱体化した後に、弱体化した害虫が叩き機構５０によって対象物から叩き出され、吸込口２から吸い込まれる。それゆえ、効率的に害虫を対象物から遊離させることができ、害虫の駆除効率が向上する。
【００６２】
また、電気掃除機１Ａにおいては、布団等の対象物中の害虫を弱体化するために、電動送風機４の排気を利用しているため、別途加熱器を設ける必要がない。それゆえ、電気掃除機１Ａの構成を簡略化することができる。
【００６３】
また、叩き機構５０は、布団等の対象物に対して、錐状に下方に隆起した隆起部５８を上下振動させている。そして、図２に示されるように、この隆起部５８の先端部５８ｂである円錐状の先端部分が布団等の縫い目の部分に当たり、布団の中に潜んでいる塵埃や害虫などを効率的に叩き出すことが可能になる。
【００６４】
また、本実施形態に係る電気掃除機１Ａによれば、排出口８と外部排出口３との間には、掃除機本体１０の底面における排気領域を規定する外部排出空間部９が設けられている。これにより、掃除機本体１０の底面における排出領域の設計の自由度が向上する。そして、掃除機本体１０の底面における排気領域は、排出口８よりも広く設定されている。
【００６５】
このように掃除機本体１０の底面における温風の排気領域が広く設定されているので、布団等の対象物に対し、より広範囲の領域中の害虫を弱体化できる。さらには、布団等の対象物に対してふんわり感を与えることが可能になる。
【００６６】
また、本実施形態に係る電気掃除機１Ａによれば、吸込口２と集塵装置２０との間には、掃除機本体１０の底面における吸込領域を規定する吸込空間部１１が設けられている。これにより、掃除機本体１０の底面における吸込領域の設計の自由度が向上する。
【００６７】
また、本実施形態に係る電気掃除機１Ａによれば、外部排出空間部９からの温風の排気領域の大きさ（幅）よりも吸込空間部１１への空気の吸込領域の大きさ（幅）の方が大きくなっている。ここで、外部排出空間部９からの排気された温風が布団等の対象物と掃除機本体１０の底面との間に流れる際に拡がるように流れる。上記の構成では、この拡がって流れた温風を吸い込めるように吸込空間部１１の吸込領域の大きさを大きくしているので、効率よく温風を吸い込むことが可能になる。
【００６８】
また、本実施形態に係る電気掃除機１Ａによれば、掃除機本体１０底面における外周縁には、下方に突出したリブ７が設けられている。このリブ７は、布団等の対象物と掃除機本体１０の底面との隙間から温風が外部へ流れ出ることを防ぐための壁として設けている。それゆえ、より効率的に、温風を対象物にあてることができる。
【００６９】
また、本実施形態に係る電気掃除機１Ａによれば、掃除機本体１０が移動する方向（図４に示す矢印Ａの方向）において、集塵装置２０は、その後端部が、操作ハンドル３０の後端部よりも後ろ側になるように配置されている。これにより、ユーザが電気掃除機１Ａを用いて掃除するに際し、集塵装置２０が掃除機本体１０の移動を妨げることがなく、掃除機本体１０をスムーズに移動させることができる。
【００７０】
本実施形態に係る電気掃除機１Ａでは、布団等の対象物中の害虫駆除を補助する補助部として、叩き機構５０が設けられている。しかし、電気掃除機１Ａにおける補助部は、叩き機構５０を備えた構成に限定されない。電気掃除機１Ａにおける補助部は、例えば、対象物に紫外線を照射し、害虫を弱体化する紫外線照射部を備えていてもよい。
【００７１】
〔実施形態２〕
本発明の他の実施形態について、図９に基づいて説明すれば、以下のとおりである。図９は、本実施形態に係る電気掃除機１Ｂを下面側から見た下面図である。なお、説明の便宜上、前記実施形態にて説明した部材と同じ機能を有する部材については、同じ符号を付記し、その説明を省略する。
【００７２】
本実施形態に係る電気掃除機１Ｂは、掃除機本体１０の底面において、隆起部５８に吸込口２が形成されている一方、隆起部５８の全外周に外部排出口３が設けられている点で、実施形態１と異なる。本実施形態に係る電気掃除機１Ｂでは、外部排出口３による温風の排出領域は、外部排出空間部９により隆起部５８の全外周領域に規定されている。
【００７３】
このように、下方に隆起した隆起部５８に吸込口２が形成されていることにより、布団等の縫い目の中に潜んでいる塵埃や害虫などを効率的に吸い込むことが可能になる。さらに、布団等の対象物の、より広範な領域に存在する害虫を弱体化することができる。
【００７４】
〔実施形態３〕
本発明の他の実施形態について、図１０に基づいて説明すれば、以下のとおりである。図１０は、本実施形態に係る電気掃除機１Ｃを下面側から見た下面図である。なお、説明の便宜上、前記実施形態にて説明した部材と同じ機能を有する部材については、同じ符号を付記し、その説明を省略する。
【００７５】
本実施形態に係る電気掃除機１Ｃは、掃除機本体１０の底面において、隆起部５８に外部排出口３が形成されており、隆起部５８の全外周に吸込口２が設けられている点で、実施形態１と異なる。本実施形態に係る電気掃除機１Ｃでは、外部排出口３による温風の排出領域は、外部排出空間部９により掃除機本体１０の底面の中央領域に規定されている。
【００７６】
このように、掃除機本体１０の底面の中央に位置する隆起部５８に外部排出口３が形成されていることにより、外部排出口３から排出される温風の掃除領域外への逃げを防止することができる。
【００７７】
〔まとめ〕
本発明の態様１に係る電気掃除機１Ａは、電動送風機４を内蔵し、掃除対象物に対向する底面に吸込口２及び外部排出口３が形成された掃除機本体１０と、上記掃除機本体１０に取り外し可能に設けられた集塵装置２０と、を備え、上記電動送風機４により加温された温風を外部排出口３から排出する電気掃除機１Ａであって、上記電動送風機４と上記外部排出口３との間に、上記掃除機本体１０の底面における外部排出口３による温風の排出領域を規定する外部排出空間部９が設けられていることを特徴としている。
【００７８】
上記の構成によれば、上記電動送風機４と上記外部排出口３との間に、上記掃除機本体１０の底面における外部排出口３による温風の排出領域を規定する外部排出空間部９が設けられているので、掃除機本体１０の底面における温風の排出領域の設計の自由度が向上する。それゆえ、掃除機本体１０の底面における温風の排出領域を広く設定することにより、上記掃除対象物に対し、より広範囲の領域中の害虫を弱体化できる。さらには、布団等の対象物に対してふんわり感を与えることが可能になる。
【００７９】
以上のことから、上記の構成によれば、電動送風機４により加温され掃除機本体１０から排出される排気風（温風）によって、布団の広範囲の領域中の害虫を弱体化できるとともに布団等の掃除対象物に対してふんわり感を与えることができる。
【００８０】
本発明の態様２に係る電気掃除機１Ｂは、電動送風機４を内蔵し、掃除対象物に対向する底面に吸込口２及び外部排出口３が形成された掃除機本体１０と、上記掃除機本体１０に取り外し可能に設けられた集塵装置２０と、を備え、上記電動送風機４により加温された温風を外部排出口３から排出する電気掃除機１Ｂであって、上記掃除機本体１０の底部は、下方に隆起した隆起部５８を有し、上記隆起部５８に上記吸込口２が形成されており、上記外部排出口３による温風の排出領域は、上記隆起部５８の全外周領域に規定されている構成である。
【００８１】
上記の構成によれば、下方に隆起した隆起部５８に吸込口２が形成されているので、布団等の掃除対象物の縫い目の中に潜んでいる塵埃や害虫などを効率的に吸い込むことが可能になる。
【００８２】
また、上記の構成によれば、上記外部排出口３による温風の排出領域は、上記隆起部５８の全外周領域に規定されているので、掃除対象物の広範な領域に存在する害虫を弱体化することができる。
【００８３】
以上のことから、上記の構成によれば、電動送風機４により加温され掃除機本体１０から排出される排気風（温風）によって、布団の広範囲の領域中の害虫を弱体化できるとともに布団等の掃除対象物に対してふんわり感を与えることができる。
【００８４】
本発明の態様３に係る電気掃除機１Ｃは、電動送風機４を内蔵し、掃除対象物に対向する底面に吸込口２及び外部排出口３が形成された掃除機本体１０と、上記掃除機本体１０に取り外し可能に設けられた集塵装置２０と、を備え、上記電動送風機４により加温された温風を外部排出口３から排出する電気掃除機１Ｃであって、上記外部排出口３による温風の排出領域は、上記掃除機本体１０の底面の中央領域に規定されており、その外周領域に吸込口２が形成されている構成である。
【００８５】
上記の構成によれば、上記外部排出口３による温風の排出領域は、上記掃除機本体１０の底面の中央領域に規定されており、その外周領域に吸込口２が形成されているので、外部排出口３から排出される温風の掃除領域外への逃げを防止することができる。
【００８６】
よって、上記の構成によれば、電気掃除機から排出される温風が掃除領域外へ逃げるのを防止し、害虫駆除効率が高い電気掃除機を提供することができる。
【００８７】
本発明の態様４に係る電気掃除機１Ａは、電動送風機４を内蔵し、掃除対象物に対向する底面に吸込口２及び外部排出口３が形成された掃除機本体１０と、上記掃除機本体１０に取り外し可能に設けられた集塵装置２０と、を備え、上記電動送風機４により加温された温風を外部排出口から排出する電気掃除機１Ａであって、上記掃除機本体１０の底面おける、上記吸込口２と上記外部排出口３との間に、掃除対象物中に存在する害虫駆除を補助する補助部（叩き機構５０）が設けられていることを特徴としている。
【００８８】
本発明の態様５に係る電気掃除機１Ａは、上記態様４において、掃除機本体１０が移動する方向（矢印Ａの方向）から順に、吸込口２、隆起部５８、外部排出口３が順に配置されている構成である。
【００８９】
上記の構成によれば、ユーザが掃除するときには、まず、掃除対象物に対して、掃除機本体１０の底面における外部排出空間部９によって規定された領域から、外部排出口３を介して温風が吹き付けられる。このように電動送風機４の排気を掃除対象物に吹き付けることによって、対象物が加温し、掃除対象物中に存在するダニ等の害虫が弱体化する。そして、このように弱体化した害虫は、上記補助部によってさらに遊離あるいは弱体化する。そして、このように補助部によりさらに弱体化した害虫は、塵埃とともに、吸込口２から掃除機本体１０へ吸い込まれる。
【００９０】
このように、上記の構成によれば、外部排出口３から排出される温風によって対象物中の害虫を弱体化した後に、弱体化した害虫が上記補助部によりさらに遊離あるいは弱体化されて、吸込口２から吸い込まれる。それゆえ、上記の構成によれば、効率的に害虫を弱体化させることができ、害虫の駆除効率が向上する。
【００９１】
本発明の態様６に係る電気掃除機１Ａは、上記態様４または５において、上記補助部は、上記掃除対象物を叩き出して害虫を掃除対象物から遊離させる叩き機構５０を備えていることが好ましい。
【００９２】
上記の構成によれば、外部排出口３から排出される温風によって対象物中の害虫を弱体化した後に、弱体化した害虫が叩き機構５０によって対象物から叩き出され、吸込口２から吸い込まれる。それゆえ、上記の構成によれば、効率的に害虫を対象物から遊離させることができ、害虫の駆除効率が向上する。
【００９３】
本発明の態様７に係る電気掃除機１Ａ・１Ｂ・１Ｃは、上記態様１〜６において、上記掃除機本体１０を操作する操作ハンドル３０を備え、上記操作ハンドル３０は、握部３１、及び握部３１と掃除機本体１０の前端部とを連結する屈曲部３２から構成されており、上から見て、上記握部３１は、上記掃除機本体１０の重心Ｃの近傍に配置されていることを特徴としている。
【００９４】
上記の構成によれば、重心Ｃから上下方向に仮想線を引いたとき、この仮想線が握部３１を通過するような配置となっている。このように握部３１が配置されていることによって、ユーザが操作ハンドル３０を握ったとき、掃除機本体１０の安定性が増す。
【００９５】
本発明の態様８に係る電気掃除機１Ａ・１Ｂ・１Ｃは、上記態様７において、上記掃除機本体１０が移動する方向（矢印Ａの方向）において、上記集塵装置２０は、その後端部が、上記操作ハンドル３０の後端部よりも後ろ側になるように配置されている構成であることが好ましい。
【００９６】
これにより、ユーザが電気掃除機１Ａを用いて掃除するに際し、集塵装置２０が掃除機本体１０の移動を妨げることがなく、掃除機本体１０をスムーズに移動させることができる。
【００９７】
本発明の態様９に係る電気掃除機１Ａ・１Ｂ・１Ｃは、上記態様１〜８において、掃除機本体１０底面における外周縁には、下方に突出したリブ７が設けられていることが好ましい。
【００９８】
上記の構成によれば、上記リブ７は、掃除の際に、外部排出口３から排出された温風の障壁として機能する。それゆえ、より効率的に、温風を掃除対象物にあてることができる。
【００９９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１００】
本発明は、特に布団等を掃除するハンディ型の電気掃除機に利用することができる。
【符号の説明】
【０１０１】
１Ａ、１Ｂ、１Ｃ    電気掃除機
２    吸込口
３    外部排出口
４    電動送風機
７    リブ
８    排出口
９    外部排出空間部
１０    掃除機本体
１１    吸込空間部
２０    集塵装置
３０    操作ハンドル
３１    握部
３２    屈曲部
５０    叩き機構（補助部）
【図１】
2016067729.tif 000003
【図２】
2016067729.tif 000004
【図３】
2016067729.tif 000005
【図４】
2016067729.tif 000006
【図５】
2016067729.tif 000007
【図６】
2016067729.tif 000008
【図７】
2016067729.tif 000009
【図８】
2016067729.tif 000010
【図９】
2016067729.tif 000011
【図１０】
2016067729.tif 000012